(57)【要約】【課題】使用終了時にユーザーの都合や状況等に応じて冷却時間を定めることが可能なプロジェクター及びその制御方法を提供する。【解決手段】光源から射出された光を変調して投写するプロジェクターの制御方法において、動作を終了させるための１回目の電源キーの操作を受け付ける第１の操作ステップ（ステップＳ１０１）と、第１の操作ステップの後で、２回目の電源キーの操作を受け付ける第２の操作ステップ（ステップＳ１０６）と、第２の操作ステップの後で、光源を消灯させるとともに、冷却ファンの回転を停止させる終了ステップ（ステップＳ１０７，Ｓ１０８）と、第１の操作ステップと第２の操作ステップの間において、光源の輝度を低減させること、及び冷却ファンの回転速度を増大させることの少なくとも一方を実施する冷却ステップ（ステップＳ１０２，Ｓ１０３）と、を備えたことを特徴とする。【選択図】図４
2011033858.tif 000002
【特許請求の範囲】
【請求項１】
光源から射出された光を変調して投写する画像投写部と、
前記画像投写部を冷却する冷却ファンと、
前記光源の点灯を制御する光源制御部と、
前記冷却ファンの動作を制御する冷却制御部と、
入力操作を受け付ける入力操作部と、
前記入力操作部が、動作を終了させるための第１の終了操作、及び前記第１の終了操作に引き続いて行われる第２の終了操作を受け付けた場合に、前記光源制御部に前記光源を消灯させるとともに、前記冷却制御部に前記冷却ファンの回転を停止させる制御部と、
を備え、
前記制御部は、前記入力操作部が前記第１の終了操作を受け付けてから、前記第２の終了操作を受け付けるまでの間、前記光源制御部に前記光源の輝度を低減させること、及び前記冷却制御部に前記冷却ファンの回転速度を増大させることの少なくとも一方を実施することを特徴とするプロジェクター。
【請求項２】
請求項１に記載のプロジェクターであって、
前記入力操作部が前記第１の終了操作を受け付けた後で、前記第２の終了操作を促す案内部をさらに備えたことを特徴とするプロジェクター。
【請求項３】
請求項１又は２に記載のプロジェクターであって、
前記制御部は、前記入力操作部が前記第１の終了操作を受け付けた後に、前記第２の終了操作とは異なる所定の操作を受け付けた場合には、前記光源の輝度及び前記冷却ファンの回転速度を、前記第１の終了操作を受け付ける前の状態に復帰させることを特徴とするプロジェクター。
【請求項４】
光源から射出された光を変調して投写する画像投写部と、前記画像投写部を冷却する冷却ファンと、入力操作を受け付ける入力操作部と、を備えたプロジェクターの制御方法であって、
前記入力操作部が、動作を終了させるための第１の終了操作を受け付ける第１の操作ステップと、
前記第１の操作ステップの後で、前記入力操作部が、前記第１の終了操作に引き続いて行われる第２の終了操作を受け付ける第２の操作ステップと、
前記第２の操作ステップの後で、前記光源を消灯させるとともに、前記冷却ファンの回転を停止させる終了ステップと、
前記第１の操作ステップと前記第２の操作ステップの間において、前記光源の輝度を低減させること、及び前記冷却ファンの回転速度を増大させることの少なくとも一方を実施する冷却ステップと、
を備えたことを特徴とするプロジェクターの制御方法。
【請求項５】
請求項４に記載のプロジェクターの制御方法であって、
前記第１の操作ステップの後で、前記第２の終了操作を促す案内ステップをさらに備えたことを特徴とするプロジェクターの制御方法。
【請求項６】
請求項４又は５に記載のプロジェクターの制御方法であって、
前記第１の操作ステップの後に、前記第２の終了操作とは異なる所定の操作を受け付けるキャンセルステップと、
前記キャンセルステップの後で、前記光源の輝度及び前記冷却ファンの回転速度を、前記第１の操作ステップの前の状態に復帰させる復帰ステップと、
をさらに備えたことを特徴とするプロジェクターの制御方法。
【発明の詳細な説明】
【技術分野】
【０００１】
本発明は、画像を投写するプロジェクター及びその制御方法に関する。
【背景技術】
【０００２】
光源から射出された光を変調して画像を形成し、この画像をスクリーン等に投写するプロジェクターの多くは、光源の点灯等に伴って高温となる筐体の内部を冷却するための冷却装置（冷却ファン等）を備えている。この冷却装置は、光源を消灯させた後もしばらくの間冷却を継続するようになっており、高温のまま放置された場合に生じ得る各種構成部品の劣化を抑制している（特許文献１参照）。なお、光源が消灯した後の冷却は、「クールダウン」等と呼ばれる。
【０００３】
近年、プロジェクターの各種構成部品の耐久性（耐熱性）を向上させること等により、クールダウンを省略したり、クールダウンに要する時間を短縮させたりしたプロジェクターが注目されている。このようなプロジェクターを用いれば、使用後すぐに商用電源を遮断して片付けることが可能となるため、ユーザーの利便性が向上する。
【先行技術文献】
【特許文献】
【０００４】
【特許文献１】特開２００５−１７５８３号公報
【発明の概要】
【発明が解決しようとする課題】
【０００５】
しかしながら、クールダウンを省略したり、クールダウンの時間を短縮させたりしたプロジェクターでは、使用中に高温となった筐体の一部が、使用後においても比較的高温のままになっている場合があり、筐体に触れてしまったユーザーに不快感を与えてしまう恐れがある。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクターは、光源から射出された光を変調して投写する画像投写部と、前記画像投写部を冷却する冷却ファンと、前記光源の点灯を制御する光源制御部と、前記冷却ファンの動作を制御する冷却制御部と、入力操作を受け付ける入力操作部と、前記入力操作部が、動作を終了させるための第１の終了操作、及び前記第１の終了操作に引き続いて行われる第２の終了操作を受け付けた場合に、前記光源制御部に前記光源を消灯させるとともに、前記冷却制御部に前記冷却ファンの回転を停止させる制御部と、を備え、前記制御部は、前記入力操作部が前記第１の終了操作を受け付けてから、前記第２の終了操作を受け付けるまでの間、前記光源制御部に前記光源の輝度を低減させること、及び前記冷却制御部に前記冷却ファンの回転速度を増大させることの少なくとも一方を実施することを特徴とする。
【０００８】
このプロジェクターによれば、第１の終了操作を受け付けてから、第２の終了操作を受け付けるまでの間、光源の輝度を低減させること、及び冷却ファンの回転速度を増大させることの少なくとも一方を実施するため、第２の終了操作を行うタイミングを遅らせれば遅らせるほど、プロジェクターの温度を低減することが可能となる。このため、プロジェクターを十分に冷却させたいユーザーは、第１の終了操作を行った後、時間が経ってから第２の終了操作を行えばよいし、プロジェクターをすぐに片付けたいユーザーは、第１の終了操作を行った後、即座に第２の終了操作を行えばよい。つまり、プロジェクターの使用を終了する際に、ユーザーの都合や状況等に応じて冷却時間を定めることが可能となり、利便性が向上する。
【０００９】
［適用例２］上記適用例に係るプロジェクターにおいて、前記入力操作部が前記第１の終了操作を受け付けた後で、前記第２の終了操作を促す案内部をさらに備えることが望ましい。
【００１０】
このプロジェクターによれば、第１の終了操作の後で、案内部が第２の終了操作を促すため、操作に不慣れなユーザーであっても、プロジェクターを終了させるための操作を容易に行うことが可能となる。
【００１１】
［適用例３］上記適用例に係るプロジェクターにおいて、前記制御部は、前記入力操作部が前記第１の終了操作を受け付けた後に、前記第２の終了操作とは異なる所定の操作を受け付けた場合には、前記光源の輝度及び前記冷却ファンの回転速度を、前記第１の終了操作を受け付ける前の状態に復帰させることが望ましい。
【００１２】
このプロジェクターによれば、第１の終了操作の後に、第２の終了操作とは異なる所定の操作がなされると、光源の輝度及び冷却ファンの回転速度が元の状態に復帰するため、誤って第１の終了操作を行ってしまった場合でも、その操作を容易に取り消すことが可能となる。
【００１３】
［適用例４］本適用例に係るプロジェクターの制御方法は、光源から射出された光を変調して投写する画像投写部と、前記画像投写部を冷却する冷却ファンと、入力操作を受け付ける入力操作部と、を備えたプロジェクターの制御方法であって、前記入力操作部が、動作を終了させるための第１の終了操作を受け付ける第１の操作ステップと、前記第１の操作ステップの後で、前記入力操作部が、前記第１の終了操作に引き続いて行われる第２の終了操作を受け付ける第２の操作ステップと、前記第２の操作ステップの後で、前記光源を消灯させるとともに、前記冷却ファンの回転を停止させる終了ステップと、前記第１の操作ステップと前記第２の操作ステップの間において、前記光源の輝度を低減させること、及び前記冷却ファンの回転速度を増大させることの少なくとも一方を実施する冷却ステップと、を備えたことを特徴とする。
【００１４】
このプロジェクターの制御方法によれば、第１の終了操作を受け付けてから、第２の終了操作を受け付けるまでの間、光源の輝度を低減させること、及び冷却ファンの回転速度を増大させることの少なくとも一方を実施するため、第２の終了操作を行うタイミングを遅らせれば遅らせるほど、プロジェクターの温度を低減することが可能となる。このため、プロジェクターを十分に冷却させたいユーザーは、第１の終了操作を行った後、時間が経ってから第２の終了操作を行えばよいし、プロジェクターをすぐに片付けたいユーザーは、第１の終了操作を行った後、即座に第２の終了操作を行えばよい。つまり、プロジェクターの使用を終了する際に、ユーザーの都合や状況等に応じて冷却時間を定めることが可能となり、利便性が向上する。
【００１５】
［適用例５］上記適用例に係るプロジェクターの制御方法において、前記第１の操作ステップの後で、前記第２の終了操作を促す案内ステップをさらに備えることが望ましい。
【００１６】
このプロジェクターの制御方法によれば、第１の操作ステップ後に、第２の終了操作を促す案内ステップを備えているため、操作に不慣れなユーザーであっても、プロジェクターを終了させるための操作を容易に行うことが可能となる。
【００１７】
［適用例６］上記適用例に係るプロジェクターの制御方法において、前記第１の操作ステップの後に、前記第２の終了操作とは異なる所定の操作を受け付けるキャンセルステップと、前記キャンセルステップの後で、前記光源の輝度及び前記冷却ファンの回転速度を、前記第１の操作ステップの前の状態に復帰させる復帰ステップと、をさらに備えることが望ましい。
【００１８】
このプロジェクターの制御方法によれば、第１の終了操作の後に、第２の終了操作とは異なる所定の操作がなされると、光源の輝度及び冷却ファンの回転速度が元の状態に復帰するため、誤って第１の終了操作を行ってしまった場合でも、容易に元の状態に復帰させることが可能となる。
【００１９】
また、上述したプロジェクター及びその制御方法がプロジェクターに備えられたコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、プロジェクターの内部記憶装置（ＲＡＭやＲＯＭ等の半導体メモリー）等、前記コンピューターが読み取り可能な種々の媒体を利用することができる。
【図面の簡単な説明】
【００２０】
【図１】プロジェクターを示す斜視図であり、前面、上面、及び右側面を示す図。
【図２】プロジェクターを示す斜視図であり、背面、底面、及び右側面を示す図。
【図３】プロジェクターの回路構成を示すブロック図。
【図４】オフ操作時のプロジェクターの動作を説明するためのフローチャート。
【図５】メッセージ画像が重畳された投写画像を示す説明図。
【発明を実施するための形態】
【００２１】
以下、光源から射出された光を変調して、外部から入力される画像情報に基づく画像（以降、「入力画像」という。）を形成し、この画像をスクリーン等に投写するプロジェクターについて説明する。
【００２２】
図１及び図２は、本実施形態のプロジェクターを示す斜視図であり、図１は、前面、上面、及び右側面を示す図、図２は、背面、底面、及び右側面を示す図である。
図１及び図２に示すように、プロジェクター１は、装置本体が筐体２に収容された構成を有しており、筐体２の前面２ｆには、画像を投写する投写レンズ１３が露出している。筐体２の上面２ｔには、ユーザーがプロジェクター１に対して各種指示を行うための入力操作部２２が備えられ、入力操作部２２の近傍には、プロジェクター１の動作状態を報知するためのＬＥＤ報知部２３が備えられている。筐体２の背面２ｒには、商用電源が供給される電源端子２８と、図示しない外部の画像出力装置から画像情報が入力される画像情報入力部２４とが設けられている。画像情報入力部２４には、複数の入力端子２４ａが配置されており、各入力端子２４ａには、一端が画像出力装置に接続されたケーブルの他端が接続される。
【００２３】
プロジェクター１は、筐体２の内部に冷却ファン３３（図３参照）を備えており、光源の点灯等に伴って高温となる筐体２の内部を冷却することができる。筐体２の底面２ｂには、外部から空気を吸入するための吸気口３ａが形成されており、冷却ファン３３の回転によって吸気口３ａから吸入された空気は、筐体２の内部を冷却した後、筐体２の右側面２ｓに形成された排気口３ｂから排出される。
【００２４】
図３は、プロジェクターの回路構成を示すブロック図である。
図３に示すように、プロジェクター１は、画像投写部１０、制御部２０、記憶部２１、入力操作部２２、ＬＥＤ報知部２３、画像情報入力部２４、入力選択部２５、画像処理部２６、ＯＳＤ処理部２７、電源端子２８、電源回路２９、光源制御部３０、温度センサー３１、冷却制御部３２、冷却ファン３３等を備えて構成されており、これらは、筐体２（図１及び図２参照）の内部に収容されている。
【００２５】
画像投写部１０は、光源１１、光変調装置としての３つの液晶ライトバルブ１２Ｒ，１２Ｇ，１２Ｂ、投写光学系としての投写レンズ１３、液晶駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００２６】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２７】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から拡大投写される。
【００２８】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。また、制御部２０には、時間の計測を行うためのタイマー２０ａが備えられている。
【００２９】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００３０】
入力操作部２２は、ユーザーからの入力操作を受け付けるものであり、ユーザーがプロジェクター１に対して各種指示を行うための複数の操作キーを備えている。入力操作部２２が備える操作キーとしては、電源のオン・オフを切り替えるための電源キー２２ａ（図１参照）、有効な入力端子２４ａを切り替えるための入力切替キー２２ｂ（図１参照）等がある。ユーザーが入力操作部２２の各種操作キーを操作（押下）すると、入力操作部２２は、この入力操作を受け付けて、ユーザーの操作内容に応じた操作信号を制御部２０に出力する。なお、入力操作部２２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部２０に伝達する。
【００３１】
ＬＥＤ報知部２３は、ＬＥＤ（発光ダイオード）を備えたインジケーターであり、制御部２０の指示に基づいてその表示状態を切り替えることにより、ユーザーにプロジェクター１の動作状態（電源のオン・オフや異常発生等）を報知する。なお、ＬＥＤ報知部２３は、その表示状態、即ち点灯、点滅、消灯、発光色等を適宜切り替えることによって、多数の動作状態を表すことが可能になっている。
【００３２】
画像情報入力部２４は、上述したように複数の入力端子２４ａを備えており、各入力端子２４ａには、ビデオ再生装置やパーソナルコンピューター等、外部の画像出力装置から、図示しないケーブルを介して画像情報が入力される。各入力端子２４ａに入力された画像情報は、入力選択部２５に供給される。
【００３３】
入力選択部２５は、複数の入力端子２４ａのうち、制御部２０の指示に基づく１つの入力端子２４ａを選択し、この入力端子２４ａに入力される画像情報を画像処理部２６に出力する。ユーザーが、入力操作部２２に備わる入力切替キー２２ｂを操作して所望の入力端子２４ａを指定すると、制御部２０は、この入力端子２４ａに入力される画像情報が画像処理部２６に出力されるよう、入力選択部２５に指示をする。
【００３４】
画像処理部２６は、入力選択部２５から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部２６は、制御部２０の指示に基づき、変換した画像情報に対して、明るさ、コントラスト、シャープネス、色合い等を調整するための画質調整処理等を行い、処理後の画像情報をＯＳＤ処理部２７に出力する。
【００３５】
ＯＳＤ処理部２７は、制御部２０の指示に基づいて、入力画像上にメニュー画像やメッセージ画像等のＯＳＤ（オンスクリーンディスプレー）画像を重畳するための処理を行う。ＯＳＤ処理部２７は、図示しないＯＳＤメモリーを備えており、ＯＳＤ画像を形成するための図形やフォント等を表す画像データを記憶している。制御部２０が、ＯＳＤ画像の重畳を指示すると、ＯＳＤ処理部２７は、必要な画像データをＯＳＤメモリーから読み出して、指定されたＯＳＤ画像を形成するためのＯＳＤ画像情報を生成する。そして、入力画像上の所定の位置にＯＳＤ画像が重畳されるように、画像処理部２６から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部２７は、画像処理部２６から入力される画像情報を、そのまま液晶駆動部１４に出力する。
【００３６】
液晶駆動部１４が、ＯＳＤ処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３７】
電源回路２９には、電源端子２８を介してＡＣ１００Ｖ等の商用電源が外部から供給される。電源回路２９は、商用電源（交流電源）を所定の電圧の直流電源に変換し、光源制御部３０を始めとするプロジェクター１の各部に電力を供給する。また、電源回路２９は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３８】
光源制御部３０は、電源回路２９で生成された直流電流を交流矩形波電流に変換するインバーター（図示せず）や、光源ランプ１１ａの電極間の絶縁破壊を行って、光源ランプ１１ａの始動を促すためのイグナイター（図示せず）等を備えており、制御部２０の指示に基づいて光源１１の点灯を制御する。具体的には、光源制御部３０は、光源１１を始動させて所定の電力を供給することにより光源１１を点灯させるとともに、電力の供給を停止して光源１１を消灯させることができる。また、光源制御部３０は、制御部２０の指示に基づいて光源１１に供給する電力を制御することにより、光源１１の輝度（明るさ）を調整することが可能であり、本実施形態では、通常利用される輝度である「高輝度」と、「高輝度」よりも暗い「低輝度」の２段階に調整することができる。
【００３９】
温度センサー３１は、サーミスター等で構成され、筐体２の内部の温度を検出し、検出結果を冷却制御部３２に出力する。この温度センサー３１は、光源１１、液晶ライトバルブ１２Ｒ，１２Ｇ，１２Ｂ、電源回路２９等のように、熱を発する部位や熱によるダメージを受けやすい部位に配置される。また、筐体２の内部の温度を直接検出する代わりに、排気口３ｂから排出される空気の温度を検出すること等により、筐体２の内部の温度を間接的に検出するようにしてもよい。
【００４０】
冷却制御部３２は、制御部２０の指示に基づいて、冷却ファン３３の回転の始動、及びその停止を制御するとともに、制御部２０の指示と温度センサー３１の検出結果とに基づいて冷却ファン３３の回転数（回転速度）を制御する。本実施形態の冷却制御部３２は、冷却ファン３３の回転速度を複数段階に切り替え可能になっている。そして、冷却制御部３２は、筐体２の内部温度が高温であるほど、冷却ファン３３の回転速度を増大させて温度上昇を抑制し、内部温度が低い場合には、ファンの回転に伴う騒音と電力消費とを抑制すべく冷却ファン３３の回転速度を低下させる。
【００４１】
冷却ファン３３は、例えば、軸流ファンやシロッコファン等によって構成される。冷却ファン３３は、冷却制御部３２の制御に基づいて回転することにより、吸気口３ａから外部の空気を吸入して、筐体２の内部（特に、画像投写部１０や電源回路２９等）を冷却し、冷却後の空気を排気口３ｂから排出する。なお、冷却ファン３３は、複数のファンによって構成されてもよく、例えば、吸気口３ａの近傍に配置されるファン（吸気ファン）と、排気口３ｂの近傍に配置されるファン（排気ファン）とを含んで構成されてもよい。
【００４２】
次に、プロジェクター１の動作について説明する。
電源端子２８に電源ケーブル（図示せず）の一端が接続され、この電源ケーブルの他端に備わる電源プラグがコンセントに挿し込まれると、電源回路２９に商用電源が供給される。商用電源が供給されると、電源回路２９は、少なくとも制御部２０、記憶部２１、入力操作部２２、ＬＥＤ報知部２３に電力（スタンバイ電力）の供給を行い、制御部２０は、この電力供給を受けて、制御プログラムに従った動作を開始する。商用電源が供給された直後には、プロジェクター１は、スタンバイ状態（「電源オフ状態」ともいう。）であり、制御部２０は、ＬＥＤ報知部２３をオレンジ色で点灯させるとともに、入力操作部２２の電源キー２２ａに対する操作を監視する。そして、電源キー２２ａがユーザーにより操作されると、制御部２０は、電源回路２９に指示をして、各部への動作電力の供給を開始させ、プロジェクター１を電源オン状態に移行させる。
【００４３】
プロジェクター１が電源オン状態に移行すると、制御部２０は、ＬＥＤ報知部２３を緑色で点灯させる。そして、制御部２０は、冷却制御部３２に指示をして、冷却ファン３３を始動させるとともに、温度センサー３１の検出結果に基づいて、冷却ファン３３の回転速度を制御させる。さらに、制御部２０は、光源制御部３０に指示をして光源１１を点灯させる。この結果、入力端子２４ａに入力される画像情報に基づく画像が画像投写部１０から投写される。
【００４４】
電源オン状態でユーザーにより電源キー２２ａが操作されると、制御部２０は、光源制御部３０に指示をして光源１１を消灯させた後に、プロジェクター１をスタンバイ状態に移行させる。なお、本明細書では、スタンバイ状態でなされる電源キー２２ａの操作、即ちプロジェクター１を電源オン状態に移行させて、光源１１を点灯させるための操作を「オン操作」と呼び、電源オン状態でなされる電源キー２２ａの操作、即ち光源１１を消灯させてプロジェクター１をスタンバイ状態に移行させるための操作を「オフ操作」と呼ぶ。
【００４５】
ここで、オフ操作の際に、電源キー２２ａが一度操作されただけで光源１１を消灯させてしまうと、ユーザーが誤って電源キー２２ａを操作してしまった場合にも光源１１が消灯してしまうことになる。光源１１（特に放電型の光源ランプ１１ａ）は、瞬時に再点灯させることが困難であることから、誤って光源１１を消灯させてしまった後、すぐにオン操作を行ったとしても、画像が再表示されるまで長い時間ユーザーを待たせてしまう。そこで、本実施形態では、電源オン状態で電源キー２２ａが操作された場合には、確認メッセージを投写するようにしており、この状態で再度電源キー２２ａが操作された場合に、光源１１を消灯させてスタンバイ状態に移行するようになっている。つまり、本実施形態では、電源オン状態において、電源キー２２ａを２回操作することが、オフ操作となる。
【００４６】
図４は、オフ操作時のプロジェクター１の動作を説明するためのフローチャートであり、電源オン状態から、オフ操作がなされてスタンバイ状態に移行するまでの動作を示している。
図４に示すように、ステップＳ１０１では、制御部２０は、電源キー２２ａの操作（１回目の操作）がなされたか否かを判断する。そして、電源キー２２ａが操作されていない場合には本ステップを繰り返し、電源キー２２ａが操作された場合にはステップＳ１０２に移行する。
【００４７】
電源キー２２ａが操作されてステップＳ１０２に移行すると、制御部２０は、光源制御部３０に指示をして、光源１１の輝度を低輝度に低減させる。続くステップＳ１０３では、制御部２０は、冷却制御部３２に指示をして、温度センサー３１の検出結果に拘らずに、冷却ファン３３の回転速度を増大させる。具体的には、複数段階の回転速度のうちの最大の回転速度で冷却ファン３３を回転させる。
【００４８】
ステップＳ１０４では、制御部２０は、ＯＳＤ処理部２７に指示をして、スタンバイ状態への移行を確認するためのメッセージ画像Ｍｃ（図５参照）を入力画像Ｐ上に重畳表示させる。図５に示すように、メッセージ画像Ｍｃには、スタンバイ状態に移行するか、即ち電源をオフにするかを確認するための確認メッセージ（「電源をオフにしますか？」）とともに、確認メッセージに対する応答方法（「はい」の場合には、電源キー２２ａを操作し、「いいえ」の場合には、他の操作キーを操作すること）が表記されている。つまり、メッセージ画像Ｍｃは、電源キー２２ａの操作及びその他の操作キーの操作をユーザーに促すためのものでもある。
【００４９】
ステップＳ１０５では、制御部２０は、メッセージ画像Ｍｃを表示してからの経過時間を計測するために、タイマー２０ａによる計時を開始する。
【００５０】
ステップＳ１０６では、制御部２０は、確認メッセージに対する応答として、電源キー２２ａの操作（２回目の操作）がなされたか否かを判断する。そして、電源キー２２ａが操作された場合にはステップＳ１０７に移行し、電源キー２２ａが操作されていない場合にはステップＳ１１０に移行する。
【００５１】
２回目の電源キー２２ａの操作がなされてステップＳ１０７に移行した場合には、制御部２０は、光源制御部３０に指示をして、光源１１を消灯させ、続くステップＳ１０８では、冷却制御部３２に指示をして、冷却ファン３３の回転を停止させる。
【００５２】
ステップＳ１０９では、制御部２０は、ＬＥＤ報知部２３をオレンジ色で点灯させる等、他の必要な終了処理（図示せず）を行った後、電源回路２９に指示をして動作電力の供給を停止させることにより、プロジェクター１をスタンバイ状態に移行させて、フローを終了する。
【００５３】
一方、ステップＳ１０６において、２回目の電源キー２２ａの操作がなされずにステップＳ１１０に移行した場合には、制御部２０は、電源キー２２ａ以外の他の操作キーが操作されたか否かを判断する。そして、他の操作キーが操作された場合にはステップＳ１１１に移行し、いずれの操作キーも操作されていない場合にはステップＳ１１４に移行する。
【００５４】
電源キー２２ａ以外の他の操作キーが操作されてステップＳ１１１に移行した場合には、制御部２０は、ＯＳＤ処理部２７に指示をして、メッセージ画像Ｍｃの重畳表示を終了させ、ステップＳ１１２では、制御部２０は、光源制御部３０に指示をして、光源１１の輝度を、１回目の電源キー２２ａの操作を受け付ける前の輝度に復帰させる。そして、続くステップＳ１１３では、制御部２０は、冷却制御部３２に指示をして、温度センサー３１の検出結果に応じた回転速度で冷却ファン３３を回転させる通常制御状態に復帰させて、ステップＳ１０１に戻る。つまり、制御部２０は、光源１１の輝度及び冷却ファン３３の回転速度を、１回目の電源キー２２ａの操作を受け付ける前の状態に復帰させる。この結果、オフ操作はキャンセルされて、入力画像の投写が再開する。
【００５５】
また、ステップＳ１１０にて、電源キー２２ａ以外の他の操作キーも操作されずにステップＳ１１４に移行した場合には、制御部２０は、タイマー２０ａの計時結果に基づいて、メッセージ画像Ｍｃを表示してから所定時間が経過したか否かを判断する。そして、所定時間が経過していない場合には、ステップＳ１０６に戻り、所定時間が経過した場合には、ステップＳ１１１に移行してオフ操作をキャンセルし、入力画像の投写を再開する。
【００５６】
以上説明したように、本実施形態のプロジェクター１によれば、以下の効果を得ることができる。
【００５７】
（１）本実施形態のプロジェクター１によれば、１回目の電源キー２２ａの操作を受け付けてから、２回目の電源キー２２ａの操作を受け付けるまでの間、光源１１の輝度を低減させるとともに、冷却ファン３３の回転速度を増大させているため、２回目の電源キー２２ａの操作を遅らせれば遅らせるほど、プロジェクター１の温度を低減することが可能となる。このため、プロジェクター１を十分に冷却させたいユーザーは、１回目の電源キー２２ａの操作を行った後、時間が経ってから２回目の電源キー２２ａの操作を行えばよいし、プロジェクター１をすぐに片付けたいユーザーは、１回目の電源キー２２ａの操作を行った後、即座に２回目の電源キー２２ａの操作を行えばよい。つまり、プロジェクター１の使用を終了する際に、ユーザーの都合や状況等に応じて冷却時間を定めることが可能となり、利便性が向上する。
【００５８】
（２）本実施形態のプロジェクター１によれば、１回目の電源キー２２ａの操作の後、ＯＳＤ処理部２７によりメッセージ画像Ｍｃを重畳表示させて、後続の操作を促しているため、操作に不慣れなユーザーであっても、プロジェクター１を終了させるための操作を容易に行うことが可能となる。
【００５９】
（３）本実施形態のプロジェクター１によれば、１回目の電源キー２２ａの操作の後に、電源キー２２ａ以外の操作キーの操作がなされると、光源１１の輝度及び冷却ファン３３の回転速度を元の状態に復帰させているため、誤って電源キー２２ａの操作を行ってしまった場合でも、その操作を容易に取り消すことが可能となる。
【００６０】
なお、本実施形態では、１回目の電源キー２２ａの操作が第１の終了操作に相当し、２回目の電源キー２２ａの操作が第２の終了操作に相当する。また、メッセージ画像Ｍｃを表示する際のＯＳＤ処理部２７が案内部に相当する。また、ステップＳ１０１が第１の操作ステップ、ステップＳ１０６が第２の操作ステップ、ステップＳ１０７，Ｓ１０８が終了ステップ、ステップＳ１０２，Ｓ１０３が冷却ステップ、ステップＳ１０４が案内ステップ、ステップＳ１１０がキャンセルステップ、そして、ステップＳ１１２，Ｓ１１３が復帰ステップに相当する。
【００６１】
（変形例）
また、上記実施形態は、以下のように変更してもよい。
【００６２】
上記実施形態では、電源オン状態において、電源キー２２ａの操作の後に、再度電源キー２２ａを操作することによってスタンバイ状態に移行するようにしているが、これら２回の操作は、必ずしも同一の操作キー（電源キー２２ａ）である必要はない。つまり、電源キー２２ａの操作の後に、電源キー２２ａ以外の所定の操作キーが操作された場合にスタンバイ状態に移行するようにしてもよい。
【００６３】
上記実施形態では、１回目の電源キー２２ａの操作が行われた後に、光源１１の輝度を低減すること、及び冷却ファン３３を回転速度を増大させることの双方を行うようにしているが、いずれか一方のみを行うようにしてもよい。
【００６４】
上記実施形態において、メッセージ画像Ｍｃは、光源１１が低輝度の状態で投写されることから、視認性が低下する恐れがある。このため、メッセージ画像Ｍｃに関しては、高輝度で投写される他のＯＳＤ画像よりも、メッセージ（文字）と背景とのコントラストを高くすることが望ましい。
【００６５】
上記実施形態では、光変調装置として３つの液晶ライトバルブ１２Ｒ，１２Ｇ，１２Ｂを用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００６６】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００６７】
上記実施形態では、光源１１は、放電型の光源ランプ１１ａによって構成されているが、ＬＥＤ（Light Emitting Diode：発光ダイオード）光源等の固体光源や、その他の光源に適用することもできる。
【符号の説明】
【００６８】
１…プロジェクター、２…筐体、２ｂ…底面、２ｆ…前面、２ｒ…背面、２ｓ…右側面、２ｔ…上面、３ａ…吸気口、３ｂ…排気口、１０…画像投写部、１１…光源、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２０ａ…タイマー、２１…記憶部、２２…入力操作部、２２ａ…電源キー、２２ｂ…入力切替キー、２３…ＬＥＤ報知部、２４…画像情報入力部、２４ａ…入力端子、２５…入力選択部、２６…画像処理部、２７…ＯＳＤ処理部、２８…電源端子、２９…電源回路、３０…光源制御部、３１…温度センサー、３２…冷却制御部、３３…冷却ファン、Ｍｃ…メッセージ画像、Ｐ…入力画像、Ｓ…投写面。
【図１】
2011033858.tif 000003
【図２】
2011033858.tif 000004
【図３】
2011033858.tif 000005
【図４】
2011033858.tif 000006
【図５】
2011033858.tif 000007